(57)【要約】【課題】粘度が高く、かつ、使用感に優れた洗浄組成物を提供すること。【解決手段】（Ａ）Ｎ−アシル酸性アミノ酸またはその塩、（Ｂ）両性界面活性剤、及び、（Ｃ）モノグリセリン脂肪酸モノエステルを３質量％以上８質量％以下を含み、（Ｄ）アルカリ土類金属塩を０．０８質量％以下含有する又はアルカリ土類金属塩を含有しない洗浄組成物。【選択図】なし【特許請求の範囲】
【請求項１】
（Ａ）Ｎ−アシル酸性アミノ酸またはその塩、
（Ｂ）両性界面活性剤、及び
（Ｃ）モノグリセリン脂肪酸モノエステルを３質量％以上８質量％以下
を含み、
（Ｄ）アルカリ土類金属塩を０．０８質量％以下含有する又はアルカリ土類金属塩を含有しない洗浄組成物。
【請求項２】
前記成分（Ｄ）アルカリ土類金属塩を実質的に含有しない請求項１に記載の洗浄組成物。
【請求項３】
前記成分（Ａ）Ｎ−アシル酸性アミノ酸またはその塩のアシル基の炭素数が１０以上、１８以下である請求項１または２に記載の洗浄組成物。
【請求項４】
前記成分（Ｃ）モノグリセリン脂肪酸モノエステルの脂肪酸残基の炭素数が１０以上、１８以下である請求項１乃至３のいずれかに記載の洗浄組成物。
【請求項５】
前記成分（Ａ）Ｎ−アシル酸性アミノ酸またはその塩のアシル基の炭素数と、前記成分（Ｃ）モノグリセリン脂肪酸モノエステルの脂肪酸残基の炭素数との差が４以下である請求項１乃至４の何れか一項に記載の洗浄組成物。
【請求項６】
前記成分（Ａ）、（Ｂ）及び（Ｃ）の質量比［（Ａ）＋（Ｂ）］：（Ｃ）が２０：１〜２：１である請求項１乃至５の何れか一項に記載の洗浄組成物。
【発明の詳細な説明】
【技術分野】
【０００１】
本発明は、洗浄組成物、特にＮ−アシル酸性アミノ酸又はその塩を含有する洗浄組成物に関する。
【背景技術】
【０００２】
Ｎ−アシル酸性アミノ酸又はその塩は皮膚刺激性が低いため、身体を洗浄するための洗浄料への応用が多々検討されている。しかしながら、このような洗浄料は皮膚のｐＨに近い領域では粘度が低くなり使用しにくいという課題がある。
この課題を解決するために、様々な検討がなされている。たとえば、ベタイン類などの両性界面活性剤を添加する方法がある。しかしながらこの方法では、洗浄料はわずかに増粘するものの、それだけでは実用において不十分である。そこで、さらにセルロースなどの高分子化合物を添加して増粘する方法がある。しかしながら、ここで高分子化合物として用いられるカチオン化セルロースやヒドロキシエチルセルロース（ＨＥＣ）やヒドロキシプロピルセルロース（ＨＰＣ）などを洗浄料に添加すると、洗浄料がぬるついたり糸を引いたりするなど使用感の点で改良の余地がある場合がある。
これらに対して、たとえば、特許文献１では、洗浄性が良好で使用感を低下させることなく優れた増粘作用を有する洗浄剤組成物として、特定量のアニオン性界面活性剤と特定量の両性界面活性剤とＨＬＢ値が６以上のショ糖脂肪酸エステルとを含有する洗浄剤組成物が提供されている。
また、特許文献２には、ヤシ油脂肪酸−Ｌ−グルタミン酸トリエタノールアミン塩と、ヤシ油アルキルジメチル酢酸ベタインと、ヤシ油脂肪酸アミドプロピルベタインと、ヤシ油脂肪酸ジエタノールアミドと、ポリオキシエチレンアルキルエーテルとを含んだ増粘効果が良好なシャンプー組成物が開示されている。
また、特許文献３には、Ｎ−長鎖アシル酸性アミノ酸及び／又はその塩と、特定の両親媒性物質と、無機塩と水を必須成分とすることで他の増粘剤によらずに増粘する増粘組成物が開示されている。
一方、特許文献４には、特定のアシル化アミノ酸型界面活性剤（ラウロイルグリシンナトリウム塩やラウロイル−β−アラニンカリウム塩等）に、特定の（モノアシルグリセリン）モノグリセリドを含有させることで起泡性の優れた洗浄剤組成物が得られることが開示されている。
【先行技術文献】
【特許文献】
【０００３】
【特許文献１】特開２００７−１３８０２３号公報
【特許文献２】特開平２−２４７１１４号公報
【特許文献３】国際公開第０５／７８０３９号パンフレット
【特許文献４】特開平５−１５６２９５号公報
【発明の概要】
【発明が解決しようとする課題】
【０００４】
しかしながら、特許文献１及び２に記載されている方法では、いずれも、ショ糖脂肪酸エステルやヤシ油脂肪酸ジエタノールアミドやポリオキシエチレンアルキルエーテル等の第３成分を多量、アニオン性界面活性剤と両性界面活性剤の合計量に対し多比率又は多種含有させないと十分に粘度を高めることが難しい。
また、特許文献３に記載されている方法では、アルカリ土類金属塩を多量に含有させることで洗浄料の増粘を達成しているが（実施例１１及び比較例１９）、このようにアルカリ土類金属塩を多量に含む洗浄料には低温安定性等に改良の余地がある。
一方、特許文献４に記載されている洗浄剤組成物はＮ−アシル酸性アミノ酸ではなくラウロイルグリシンナトリウム塩やラウロイル−β−アラニンカリウム塩等を主基材とするものであるため、弱酸性の領域で増粘しづらいという課題は生じておらず、特定のモノグリセリン脂肪酸モノエステルは起泡性向上のために添加されている。
【課題を解決するための手段】
【０００５】
このような状況において、本発明者は、増粘化が難しいＮ−アシル酸性アミノ酸及びその塩のミセル形成メカニズムに着目し鋭意検討を重ねた結果、Ｎ−アシル酸性アミノ酸またはその塩及び両性界面活性剤を含有する洗浄組成物にモノグリセリン脂肪酸モノエステルを特定量配合するとアルカリ土類金属塩を非常に少量にしても、あるいは、含有しなくても、増粘性の向上が達成されることを見出した。
そこで、本発明はＮ−アシル酸性アミノ酸及びその塩を含有する洗浄組成物において、その低温安定性や使用感を低下させずに増粘性の向上を達成するものである。
【０００６】
すなわち、本発明は、
（Ａ）Ｎ−アシル酸性アミノ酸またはその塩、
（Ｂ）両性界面活性剤、および
（Ｃ）モノグリセリン脂肪酸モノエステルを３質量％以上８質量％以下
を含み、
（Ｄ）アルカリ土類金属塩を０．０８質量％以下含有する又はアルカリ土類金属塩を含有しない洗浄組成物を提供するものである。
【発明の効果】
【０００７】
本発明によれば、粘度が高く、かつ、洗浄性、起泡性、低温保存安定性、泡の感触やぬめりの無さ、及びすすぎ易さ等の使用感に優れた洗浄組成物が提供される。
【発明を実施するための形態】
【０００８】
以下、本発明の実施形態について説明する。
本発明において洗浄組成物とは、身体を洗浄するためのものであり、特に、身体適用時に手から流れ落ちにくくするという実用面の他、製品の外観を整えるという意味でも必要な粘度である３００ｍＰａ・ｓ以上、好ましくは６００ｍＰａ・ｓ以上、更に好ましくは１０００ｍＰａ・ｓ以上を達成した洗浄組成物である。
なお、粘度の上限値は、特に限定されないが、たとえば、１００，０００ｍＰａ・ｓ以下、好ましくは１０，０００ｍＰａ・ｓ以下、更に好ましくは５０００ｍＰａ・ｓ以下が好ましい。
【０００９】
次に、本発明の洗浄組成物について詳細に説明する。
本発明の洗浄組成物は、
（Ａ）Ｎ−アシル酸性アミノ酸またはその塩、
（Ｂ）両性界面活性剤、
（Ｃ）モノグリセリン脂肪酸モノエステルを３質量％以上８質量％以下
を含み、
（Ｄ）アルカリ土類金属塩を０．０８質量％以下含有する又はアルカリ土類金属塩を含有しない洗浄組成物である。
（成分（Ａ））
本発明の洗浄組成物において使用される成分（Ａ）Ｎ−アシル酸性アミノ酸またはその塩としては通常の洗浄組成物に用いられるものであれば何れを用いても良い。中でもそのアシル基の炭素数が１０以上、１８以下の飽和又は不飽和脂肪酸より誘導される直鎖又は分岐鎖のものが好ましい。アシル基の炭素数を１０以上とすることで、臭いが良好で、結晶が析出しにくい効果があり、アシル基の炭素数を１８以下とすることで、泡質が重くならず、泡立ちが良くなるという効果がある。このようなアシル基としては、例えばカプリノイル基、ラウロイル基、ミリストイル基、パルミトイル基、ステアロイル基、イソステアロイル基、オレオイル基、リノール基、リノレン基及びココイル基が挙げられる。このうち、泡立ち、泡質が良いという観点から好ましいものとしては、カプリノイル基、ラウロイル基、ミリストイル基及びココイル基が挙げられ、特に、ココイル基が結晶化しにくく、安定性が良いため好ましい。
なお、Ｎ−アシル酸性アミノ酸またはその塩として、アシル基の炭素数が異なるものが複数混在する場合には、そのうちの最も含有量の多い炭素数をいう。
【００１０】
成分（Ａ）の酸性アミノ酸としては、グルタミン酸及びアスパラギン酸等が使用できる。これらのアミノ酸はＬ体、Ｄ体又はＤＬ体の何れでも良い。安定性及びアシル化後の素材の使用感が良いという観点で、グルタミン酸が好ましい。
また、成分（Ａ）は、酸、塩、あるいは一部が塩の何れの状態で用いられても良い。成分（Ａ）の塩としては特に限定されず、例えば、ナトリウムやカリウム等のアルカリ金属塩、アルミニウム及び亜鉛などのアルカリ土類金属以外の多価無機塩等の無機塩、アンモニア、モノエタノールアミン、ジエタノールアミン及びトリエタノールアミン等の有機アミン、あるいはアルギニンやリジン等の塩基性アミノ酸などの有機塩が挙げられる。低温安定性、入手の容易性、取り扱い性等の観点から、アルカリ金属塩及び有機アミン塩が好ましく、ナトリウム、カリウム及びトリエタノールアミンが特に好ましい。
【００１１】
以上より、成分（Ａ）の具体例としては、Ｎ−ラウロイルグルタミン酸、Ｎ−ミリストイルグルタミン酸、Ｎ−パルミトイルグルタミン酸、Ｎ−ステアロイルグルタミン酸、Ｎ−ココイルグルタミン酸、Ｎ−ラウロイルアスパラギン酸、Ｎ−ココイルアスパラギン酸、Ｎ−ミリストイルアスパラギン酸、Ｎ−パルミトイルアスパラギン酸及びＮ−ステアロイルアスパラギン酸等が挙げられ、さらにこれらのナトリウム塩、カリウム塩及びトリエタノールアミン塩等が挙げられる。
【００１２】
このうち、起泡性と低温安定性の観点から、特に好ましいものは、Ｎ−ラウロイルグルタミン酸ナトリウム、Ｎ−ラウロイルグルタミン酸カリウム、Ｎ−ココイルグルタミン酸ナトリウム及びＮ−ココイルグルタミン酸カリウムである。
なお、成分（Ａ）は、必要に応じて上記範囲の１種または２種以上を混合して用いることができる。
【００１３】
成分（Ａ）は、洗浄効果が高くなり泡立ちが良くなるという観点から洗浄組成物中３質量％以上、さらには５質量％以上、特に好ましくは８質量％以上であることが好ましい。また、洗浄後のぬめりによる使用感の悪化がなく皮膚への刺激が少ないという観点から４０質量％以下、さらには１５質量％以下であることが好ましい。
【００１４】
（成分（Ｂ））
本発明の洗浄組成物において使用される成分（Ｂ）両性界面活性剤としては、ベタイン型界面活性剤、アミノ酸型界面活性剤、イミダゾリン型界面活性剤及びアミンオキサイド型界面活性剤等が挙げられ、通常の洗浄組成物に用いられるものであれば何れを用いても良い。中でもベタイン型界面活性剤が泡立ち及び増粘性の点で好ましい。かかるベタイン型界面活性剤としては、例えば、ラルリルスルホベタイン等のスルホベタインや、ラウリルジメチルベタイン等のアルキルベタインや、ヤシ脂肪酸アミドプロピルベタイン等のアルキルアミドプロピルベタインや、ラウリルジメチルアミンオキシド等のアルキルアミンオキシドや、２−ウンデシル−１−カルボキシメチル−１−ヒドロキシエチルイミダゾリニウムベタイン、２−アルキル−１−カルボキシメチル−１−ヒドロキシエチルイミダゾリニウムベタイン等のイミダゾリニウムベタインが挙げられ、必要に応じて１種または２種以上を混合して使用できる。特に、ラルリルスルホベタイン等のスルホベタインが泡立ちが良好のため好ましい。
【００１５】
成分（Ｂ）は、増泡効果や泡の感触が良好になるという観点から、洗浄組成物中１質量％以上、さらには３質量％以上、特に５質量％以上であることが好ましい。また、すすぎ時における過剰なぬるつき感が低減するという観点から、２０質量％以下、さらには１０質量％以下であることが好ましい。
【００１６】
（成分（Ｃ））
本発明の洗浄組成物において使用される成分（Ｃ）モノグリセリン脂肪酸モノエステルとしては通常の洗浄組成物に用いられるものであれば何れを用いても良い。このような成分（Ｃ）を３質量％以上且つ８質量％以下含有させることで、顕著な増粘効果が得られるのみならず、泡立ち等に問題が生じることなく洗浄組成物の粘性が良好に高まるため、洗浄剤組成物は使用感の良いものとなる。中でもその脂肪酸残基の炭素数が１０以上であると、臭いを良好とすることができる。また、１８以下であると、良好な泡立ちとすることができる。このようなモノグリセリン脂肪酸モノエステルの具体例としては、モノカプリン酸グリセリル、モノラウリン酸グリセリル、モノミリスチン酸グリセリル、モノパルチミン酸グリセリル、モノステアリン酸グリセリルが挙げられる。なお、成分（Ｃ）としては、必要に応じて１種または２種以上を混合して用いることができる。
ここで、成分（Ｃ）モノグリセリン脂肪酸モノエステルの脂肪酸残基の炭素数とは、（Ｃ）モノグリセリン脂肪酸モノエステルとして脂肪酸残基の炭素数が複数のものが混在する場合には、そのうちの最も含有量の多い炭素数をいう。
【００１７】
本発明の洗浄組成物における成分（Ｃ）の含有量は、さらに４質量％以上、７質量％以下とすると、洗浄組成物の粘性をより顕著に高めることができ、起泡性も良好となる。
【００１８】
（成分（Ｄ））
本発明の洗浄組成物は成分（Ｄ）アルカリ土類金属塩が０．０８質量％以下である。これにより、低温安定性が低下することを防止できる。
さらに、好ましくは、本発明の洗浄組成物は成分（Ｄ）アルカリ土類金属塩を実質的に含有しない。実質的に含有しないとは、意図的にアルカリ土類金属塩を添加しないことをいい、製造上不可避的に混入してしまうものは含まれる。ただし、成分（Ｄ）アルカリ土類金属塩を全く含まないことがより好ましい。
このことによって洗浄剤組成物の低温安定性が低下することを更に確実に防止できる。
【００１９】
また更に、本発明の洗浄組成物において、成分（Ａ）、（Ｂ）及び（Ｃ）の質量比［（Ａ）＋（Ｂ）］：（Ｃ）が２０：１〜２：１、好ましくは１０：１〜５：１、更に好ましくは６：１〜３：１であると、増粘効果が良好であるため好ましい。
【００２０】
また更に、本発明の洗浄組成物において、成分（Ｃ）の脂肪酸残基の炭素数と成分（Ａ）のアシル基の炭素数との差を４以下とすることで、効果的に洗浄組成物の粘性を高めることができる。なおここでの差とは絶対値であり、成分（Ｃ）の脂肪酸残基の炭素数と成分（Ａ）のアシル基の炭素数のどちらが多い場合であってもよい。特に効果的であるのは成分（Ｃ）の脂肪酸残基の炭素数と成分（Ａ）のアシル基の炭素数との差を２以下とすることであり、これによって、洗浄組成物の増粘作用が極めて高まる。
なお、前述のとおり、成分（Ａ）及び成分（Ｃ）はいずれも、成分（Ａ）のアシル基の炭素数や、成分（Ｃ）の脂肪酸残基の炭素数の異なるものを必要に応じて２種以上を混合して用いることができる。この場合、成分（Ｃ）の脂肪酸残基の炭素数と、成分（Ａ）のアシル基の炭素数との差とは、各々の成分中で最も含有量の多い炭素数の差を示すものである。例えば、成分（Ａ）がN−ココイルグルタミン酸ナトリウムで成分（Ｃ）がモノラウリン酸グリセリルの場合、成分（Ａ）N−ココイルグルタミン酸ナトリウム中で最も含有量が多いアシル基の炭素数は１２であるため、成分（Ｃ）の脂肪酸残基の炭素数と、成分（Ａ）のアシル基の炭素数との差とは、１２−１２で０となる。
【００２１】
以上のような洗浄組成物は、成分（Ａ）、成分（Ｂ）及び成分（Ｃ）を皮膚のｐＨに近い弱酸性の領域、すなわちｐＨ４．５〜６．５、特にｐＨ５．３〜６．０の領域に必要に応じてｐＨ調整剤で調整し混合することで身体洗浄剤であるシャンプー、ボディソープ、洗顔料等に適した洗浄組成物が得られる。
本発明の洗浄組成物においてｐＨ調整剤としては、通常洗浄剤等に使用されるものであれば特に限定はされないが、塩酸、リン酸等の無機酸や、クエン酸、乳酸、リンゴ酸、酒石酸等の有機酸、またこれらとその塩を組み合わせたｐＨ緩衝剤等が使用できる。これらのうちリンゴ酸、クエン酸が特に好ましい。
【００２２】
なお、洗浄組成物は、上述した成分（Ａ）〜成分（Ｄ）に加え、油分、他の界面活性剤、酸化防止剤、紫外線吸収剤、保湿剤、香料、染料、顔料、色素、防腐剤、ビタミン剤、ホルモン剤、消臭剤、ｐＨ調整剤等の添加剤を本発明に影響を与えない範囲で適宜添加することができる。
【００２３】
なお、本発明は前述の実施形態に限定されるものではなく、本発明の課題を解決できる範囲での変形、改良等は本発明に含まれるものである。
【実施例】
【００２４】
次に、本発明の実施例について説明する。
（実施例１）
表１に記載の組成の洗浄組成物を下記の方法にて作製した。
Ｎ−ココイルグルタミン酸ナトリウム（成分（Ａ）、アシル基の炭素数１２）と、ラウリルスルホベタイン（成分（Ｂ））と、モノカプリン酸グリセリル（成分（Ｃ）、脂肪酸残基の炭素数１０）とｐＨ調整剤（リンゴ酸）と精製水を容器にいれ、７０℃に加熱して、撹拌しながら溶解し、弱酸性（５％水溶液でｐＨ５．４）の洗浄剤組成物を調製した。
【００２５】
（実施例２〜７）及び（比較例１〜５）
実施例１の調製方法と同様の方法で、表１又は２に記載の組成の洗浄組成物を作製した。実施例２，４，６，７では、成分（Ｃ）として、モノラウリン酸グリセリル（脂肪酸残基の炭素数１２）を使用した。
【００２６】
（実施例１〜７、比較例１〜５の評価）
各実施例、比較例で得られた洗浄組成物の粘度を測定した。粘度測定には、Ｂ型粘度計（東機産業株式会社製、商品名ＴＶＢ−１０型粘度計）を使用し、ローターNo.Ｍ２〜Ｍ３、回転数１２ｒｐｍ〜６０ｒｐｍ、３０℃で測定した。
結果を表１，２に示す。
なお、実施例１〜７及び比較例１〜５は何れもアルカリ土類金属塩を実質上含有しない。
【００２７】
【表１】
2010235833.tif 000002
【００２８】
【表２】
2010235833.tif 000003
【００２９】
実施例１〜７では、いずれも粘度が３００ｍＰａ・ｓ以上であり、所望の粘度を有し、低温安定性（５℃で長時間放置した場合であっても外観の変化が生じない）かつ、洗浄性、起泡性、泡の感触やぬめりの無さやすすぎ易さ等の使用感に優れた洗浄組成物を得ることができた。
これに対し、比較例１〜５では、粘度がいずれも、３００ｍＰａ・ｓ未満と低いものとなってしまった。
【産業上の利用可能性】
【００３０】
本発明の洗浄組成物は、洗顔料、メイク落とし、ボディソープ、ハンドソープ、ヘアーシャンプー、食器用洗剤などの各種の洗浄料、洗浄剤に使用することができ、特に安全性、非刺激性に優れることから敏感肌用洗浄料に好適である。